【手続補正書】
【提出日】平成18年1月20日(2006.1.20)
【手続補正１】
【補正対象書類名】明細書
【補正対象項目名】発明の名称
【補正方法】変更
【補正の内容】
【発明の名称】画像処理装置
【手続補正２】
【補正対象書類名】明細書
【補正対象項目名】特許請求の範囲
【補正方法】変更
【補正の内容】
【特許請求の範囲】
【請求項１】  画像形成手段と、
印刷情報を出力画像データに変換して前記画像形成手段に出力する画像処理制御手段と、
前記画像処理制御手段に設けられ、入力クロックと出力クロックとの位相差を調整するＰＬＬ回路と、
前記画像形成手段および前記画像処理制御手段に給電するための電源装置と、
前記ＰＬＬ回路を通過後の前記画像処理制御手段の回路要素に対するクロック供給のＯＮ／ＯＦＦにより、前記電源装置からの前記画像処理制御手段の回路要素に対する電力供給に係る給電モードを切り替えるモード切替手段と、
を備えることを特徴とする画像処理装置。
【請求項２】  前記画像処理制御手段の回路要素に対するクロック供給のＯＮ／ＯＦＦ操作は、装置に設けられたスイッチを切り替え操作することにより行うことを特徴とする請求項１記載の画像処理装置。
【請求項３】  前記スイッチの切り替え操作があった場合、給電モードを切り替える旨の報知を行う報知手段と、
前記報知手段による報知された給電モードの切り替えについての確認を受け付ける確認手段と、
を備えることを特徴とする請求項２記載の画像処理装置。
【請求項４】  省エネルギーモード時における供給クロックの動作周波数を切り替え可能とすることを特徴とする請求項１ないし３のいずれか一記載の画像処理装置。
【請求項５】  省エネルギーモード時における供給クロックの動作周波数の切り替えの際に、供給クロックの動作周波数を切り替える旨の報知を行う周波数切替報知手段と、
前記周波数切替報知手段による報知された供給クロックの動作周波数の切り替えについての確認を受け付ける周波数切替確認手段と、
を備えることを特徴とする請求項４記載の画像処理装置。
【請求項６】  画像を読み取って画像データを出力する画像読取部を有し、前記画像読取部が読み取った画像データに基づく画像を記録媒体に形成することを特徴とする請求項１ないし５のいずれか一記載の画像処理装置。
【手続補正３】
【補正対象書類名】明細書
【補正対象項目名】０００１
【補正方法】変更
【補正の内容】
【０００１】
【発明の属する技術分野】
本発明は、プリンタ、複写機やＭＦＰ（Multi Function Peripheral）等の画像処理装置に関する。
【手続補正４】
【補正対象書類名】明細書
【補正対象項目名】０００４
【補正方法】変更
【補正の内容】
【０００４】
本発明の目的は、無駄な電力消費を防止することができるとともに、給電モードの切り替えの高速化を図ることができる画像処理装置を提供することである。
【手続補正５】
【補正対象書類名】明細書
【補正対象項目名】０００５
【補正方法】変更
【補正の内容】
【０００５】
【課題を解決するための手段】
請求項１記載の発明は、画像形成手段と、印刷情報を出力画像データに変換して前記画像形成手段に出力する画像処理制御手段と、前記画像処理制御手段に設けられ、入力クロックと出力クロックとの位相差を調整するＰＬＬ回路と、前記画像形成手段および前記画像処理制御手段に給電するための電源装置と、前記ＰＬＬ回路を通過後の前記画像処理制御手段の回路要素に対するクロック供給のＯＮ／ＯＦＦにより、前記電源装置からの前記画像処理制御手段の回路要素に対する電力供給に係る給電モードを切り替えるモード切替手段と、を備える。
【手続補正６】
【補正対象書類名】明細書
【補正対象項目名】０００７
【補正方法】変更
【補正の内容】
【０００７】
請求項２記載の発明は、請求項１記載の画像処理装置において、前記画像処理制御手段の回路要素に対するクロック供給のＯＮ／ＯＦＦ操作は、スイッチを切り替え操作することにより行う。
【手続補正７】
【補正対象書類名】明細書
【補正対象項目名】０００９
【補正方法】変更
【補正の内容】
【０００９】
請求項３記載の発明は、請求項２記載の画像処理装置において、前記スイッチの切り替え操作があった場合、給電モードを切り替える旨の報知を行う報知手段と、前記報知手段による報知された給電モードの切り替えについての確認を受け付ける確認手段と、を備える。
【手続補正８】
【補正対象書類名】明細書
【補正対象項目名】００１１
【補正方法】変更
【補正の内容】
【００１１】
請求項４記載の発明は、請求項１ないし３のいずれか一記載の画像処理装置において、省エネルギーモード時における供給クロックの動作周波数を切り替え可能とする。
【手続補正９】
【補正対象書類名】明細書
【補正対象項目名】００１３
【補正方法】変更
【補正の内容】
【００１３】
請求項５記載の発明は、請求項４記載の画像処理装置において、省エネルギーモード時における供給クロックの動作周波数の切り替えの際に、供給クロックの動作周波数を切り替える旨の報知を行う周波数切替報知手段と、前記周波数切替報知手段による報知された供給クロックの動作周波数の切り替えについての確認を受け付ける周波数切替確認手段と、を備える。
【手続補正１０】
【補正対象書類名】明細書
【補正対象項目名】００１５
【補正方法】変更
【補正の内容】
【００１５】
請求項６記載の発明は、請求項１ないし５のいずれか一記載の画像処理装置において、画像を読み取って画像データを出力する画像読取部を有し、前記画像読取部が読み取った画像データに基づく画像を記録媒体に形成する。
【手続補正１１】
【補正対象書類名】明細書
【補正対象項目名】００４４
【補正方法】変更
【補正の内容】
【００４４】
【発明の効果】
請求項１記載の発明によれば、画像形成手段と、印刷情報を出力画像データに変換して前記画像形成手段に出力する画像処理制御手段と、前記画像処理制御手段に設けられ、入力クロックと出力クロックとの位相差を調整するＰＬＬ回路と、前記画像形成手段および前記画像処理制御手段に給電するための電源装置と、前記ＰＬＬ回路を通過後の前記画像処理制御手段の回路要素に対するクロック供給のＯＮ／ＯＦＦにより、前記電源装置からの前記画像処理制御手段の回路要素に対する電力供給に係る給電モードを切り替えるモード切替手段と、を備えることにより、画像処理制御手段の回路要素に対するクロック供給のＯＮ／ＯＦＦを任意に行えるので、アクセスが暫くないことが分かっている状況などでは、すぐに給電モードを切り替えることができ、無駄な電力消費を防止することができる。また、ＰＬＬ回路を通過後の画像処理制御手段の回路要素に対するクロック供給がＯＮ／ＯＦＦされるので、画像処理制御手段の回路要素に対するクロック供給を一旦遮断した場合でもＰＬＬ回路にはクロックが供給されていることから、画像処理制御手段の回路要素にクロック供給を再開する際には、すぐに調整済みのクロックを供給することができるので、給電モードの切り替えの高速化を図ることができる。
【手続補正１２】
【補正対象書類名】明細書
【補正対象項目名】００４５
【補正方法】変更
【補正の内容】
【００４５】
請求項２記載の発明によれば、請求項１記載の画像処理装置において、前記画像処理制御手段の回路要素に対するクロック供給のＯＮ／ＯＦＦ操作は、スイッチの切り替え操作を行うことにより、簡単な操作で任意に電源装置からの画像処理制御手段の回路要素に対する電力供給に係る給電モードを切り替えることができる。
【手続補正１３】
【補正対象書類名】明細書
【補正対象項目名】００４６
【補正方法】変更
【補正の内容】
【００４６】
請求項３記載の発明によれば、請求項２記載の画像処理装置において、前記スイッチの切り替え操作があった場合、給電モードを切り替える旨の報知を行う報知手段と、前記報知手段による報知された給電モードの切り替えについての確認を受け付ける確認手段と、を備えることにより、ユーザは、給電モードの切り替え動作の確認が可能になるので、誤動作を防止することができる。
【手続補正１４】
【補正対象書類名】明細書
【補正対象項目名】００４７
【補正方法】変更
【補正の内容】
【００４７】
請求項４記載の発明によれば、請求項１ないし３のいずれか一記載の画像処理装置において、省エネルギーモード時における供給クロックの動作周波数を切り替え可能とすることにより、省エネルギーモード時のように回路を高速に動作させる必要がない場合には、動作周波数が低いクロックを回路に供給することができるので、これにより回路の動作効率の向上・耐久性の向上を図ることができる。
【手続補正１５】
【補正対象書類名】明細書
【補正対象項目名】００４８
【補正方法】変更
【補正の内容】
【００４８】
請求項５記載の発明によれば、請求項４記載の画像処理装置において、省エネルギーモード時における供給クロックの動作周波数の切り替えの際に、供給クロックの動作周波数を切り替える旨の報知を行う周波数切替報知手段と、前記周波数切替報知手段による報知された供給クロックの動作周波数の切り替えについての確認を受け付ける周波数切替確認手段と、を備えることにより、ユーザは、供給クロックの動作周波数の切り替え動作の確認が可能になるので、誤動作を防止することができる。
【手続補正１６】
【補正対象書類名】明細書
【補正対象項目名】００４９
【補正方法】変更
【補正の内容】
【００４９】
請求項６記載の発明によれば、請求項１ないし５のいずれか一記載の画像処理装置において、画像を読み取って画像データを出力する画像読取部を有し、前記画像読取部が読み取った画像データに基づく画像を記録媒体に形成することにより、請求項１ないし５のいずれか一記載の発明と同様の作用効果を奏する複写機やＭＦＰを得ることができる。